(57)【要約】【課題】遮蔽体の開閉操作および施錠が容易にできかつ防犯性が確保できる建具を提供すること。【解決手段】手動操作ユニット２０のボールチェーン（操作部材）２７が下部障子４よりも室内側に設けられ、このボールチェーン２７の操作によって、下部障子４を開かなくてもシャッター１０を開閉できる。ボールチェーン２７を係止する係止部材３０が縦枠７の室内側に固定されているので、ボールチェーン２７を係止部材３０に係止させるだけで、シャッター１０を施錠し、ボールチェーン２７を係止部材３０から外すだけで解錠し、施錠および解錠操作を容易にでき、また、室外からボールチェーン２７や係止部材３０が破壊され難く、防犯性を確保できる。【選択図】図１
2008215004.tif 000002
【特許請求の範囲】
【請求項１】
建物開口部に固定された枠体と、この枠体に支持された少なくとも１枚の面材と、この面材の室外側を覆う閉鎖位置と前記面材に沿ったいずれかの方向に収容される開放位置との間を移動可能に設けられた遮蔽体と、この遮蔽体に接続されて当該遮蔽体を室内側から手動で開閉操作可能に構成された開閉操作手段とを備え、
前記開閉操作手段は、前記遮蔽体を開閉駆動する駆動部と、前記面材よりも室内側から前記駆動部を手動操作するための操作部材と、この操作部材の開方向および閉方向の動作のうちの少なくとも開方向の動作を規制する係止部材とを備えて構成されている建具。
【請求項２】
前記枠体の上枠には、前記面材を支持する面材支持部と、この面材支持部よりも上方に位置する室内側見付け面と、この室内側見付け面に形成された開口部とが設けられ、
前記開閉操作手段における前記操作部材が前記開口部に挿通されて前記駆動部に接続された無端紐状の部材で構成され、前記係止部材が前記枠体の縦枠に固定されている請求項１に記載の建具。
【請求項３】
前記操作部材は、複数の球部と、これらの球部同士を連結する連結部とを有したボールチェーンで構成され、
前記係止部材には、前記ボールチェーンの伸延交差方向に前記球部を挿通させかつ当該ボールチェーンの伸延方向に当該球部を係止する球受部と、前記連結部を挿通させる連通溝とが形成されている請求項１または請求項２に記載の建具。
【請求項４】
前記係止部材には、前記球受部が複数形成され、これら複数の球受部間が前記連通溝で連通されている請求項３に記載の建具。
【請求項５】
前記枠体の縦枠には、前記面材よりも室内側にて見付け方向内方に延びる見付け面部と、この見付け面部に交差して見込み方向室内側に延びる見込み面部とが設けられており、
前記係止部材は、前記縦枠の見付け面部および見込み面部の少なくとも一方に固定され、前記球受部が見付け方向内方に開口するかまたは見込み方向室内側に開口して形成されている請求項３または請求項４に記載の建具。
【発明の詳細な説明】
【技術分野】
【０００１】
本発明は、建具に関し、詳しくは、枠体および面材と、面材の室外側を覆って開閉可能な遮蔽体とを備えた建具に関する。
【背景技術】
【０００２】
従来、窓枠（枠体）および障子（面材）の室外側にシャッター（ロールシャッター）や外部ブラインド等の遮蔽体を取り付け、これらのシャッター等を閉じることで窓開口部を遮蔽可能な窓が広く利用されている。このような外部シャッター等では、例えば、下部に設けられた施錠具と下枠等に設けられた受け部との係合により施錠され、施錠具に連結されたロープ等を引っ張って解錠するとともに、このロープやシャッター下部を上方に持ち上げることで開放されるようになっている。また、開放された状態からロープやシャッター下部を引き下げ操作するとともに、施錠具と受け部とを係合させることで、シャッターが施錠されるようになっている（例えば、特許文献１参照）。
【０００３】
【特許文献１】特開２００１−７３６１０号公報
【発明の開示】
【発明が解決しようとする課題】
【０００４】
しかしながら、前記特許文献１に記載の外部シャッター等では、室内側に位置する障子を開けてからシャッターの施錠具に連結されたロープ等を引っ張って施錠を解除する必要があるとともに、シャッターを閉じる際にも、障子を開けてからシャッターを引き下げて施錠具と受け部とを係合させる必要があるため、開閉操作が面倒である。
また、施錠具および受け部が室外側下部に設けられているので、室外からシャッター下部と下枠との間にバール等を食い込ませるなどして施錠具そのものが破壊される可能性があり、防犯性の点で問題がある。
【０００５】
本発明の目的は、遮蔽体の開閉操作および施錠が容易にできかつ防犯性が確保できる建具を提供することである。
【課題を解決するための手段】
【０００６】
本発明の建具は、建物開口部に固定された枠体と、この枠体に支持された少なくとも１枚の面材と、この面材の室外側を覆う閉鎖位置と前記面材に沿ったいずれかの方向に収容される開放位置との間を移動可能に設けられた遮蔽体と、この遮蔽体に接続されて当該遮蔽体を室内側から手動で開閉操作可能に構成された開閉操作手段とを備え、前記開閉操作手段は、前記遮蔽体を開閉駆動する駆動部と、前記面材よりも室内側から前記駆動部を手動操作するための操作部材と、この操作部材の開方向および閉方向の動作のうちの少なくとも開方向の動作を規制する係止部材とを備えて構成されていることを特徴とする。
【０００７】
ここで、遮蔽体としては、複数のシャッターのスラットが上下に連結されて上方に巻取り収容可能に構成されたものであってもよく、また上方に折畳み収容可能に構成されたものでもよい。さらに、遮蔽体としては、複数のスラットがリンクを介して上下に連結されて上方に巻取り収容可能または重ね合わせ収容可能に構成された外部ブラインドであってもよい。また、操作部材としては、適宜なロープやワイヤー、チェーン、ボールチェーンなどを駆動部の回動軸に巻回したものや、回動軸に適宜なギア等を介して接続されて回転操作可能に構成された回動ロッドなどが利用可能である。また係止部材としては、例えば、ロープやワイヤー、チェーン、ボールチェーンなどの操作部材を係止したり把持したりすることで操作部材の回転操作を規制するものでもよく、回動ロッドなどの操作部材を挟持して摩擦力で回転操作を規制するように構成されたものでもよい。
【０００８】
本発明によれば、開閉操作手段の操作部材が室内側に設けられ、この操作部材の操作によって遮蔽体を開閉可能に構成されているので、面材を開かなくても遮蔽体の開閉操作を実施することができ、利便性を向上させることができる。さらに、操作部材の開方向の動作を係止部材で規制することで遮蔽体を施錠し、操作部材を係止部材から外すだけで解錠することができ、施錠および解錠操作も容易にできる。
また、操作部材および係止部材が面材よりも室内側に設けられているので、操作部材や係止部材が室外から破壊され難く、防犯性を確保することができる。
【０００９】
この際、本発明の建具では、前記枠体の上枠には、前記面材を支持する面材支持部と、この面材支持部よりも上方に位置する室内側見付け面と、この室内側見付け面に形成された開口部とが設けられ、前記開閉操作手段における前記操作部材が前記開口部に挿通されて前記駆動部に接続された無端紐状の部材で構成され、前記係止部材が前記枠体の縦枠に固定されていることが好ましい。
ここで、面材支持部としては、面材を開閉自在に支持するガイド機能を有するものでもよく、面材を開閉不能に支持する固定機能を有するものでもよい。
このような構成によれば、開閉操作手段の操作部材が室内側見付け面に形成された開口部に挿通されることで、この開口部を介して開閉操作手段を室内外に渡って、室内側から操作可能に設けることができる。また、上枠における面材支持部よりも上方に位置する室内側見付け面に開口部を設けたことで、この開口部から室内側に垂下げた紐状の操作部材と面材との干渉が防止できる。さらに、室内側見付け面を上下方向ではなく見込み方向に貫通して開口部が形成されることで、この開口部を介して室内側への雨水等の浸入が防止しやすくなり、止水性を確保することができる。
【００１０】
さらに、本発明の建具では、前記操作部材は、複数の球部と、これらの球部同士を連結する連結部とを有したボールチェーンで構成され、前記係止部材には、前記ボールチェーンの伸延交差方向に前記球部を挿通させかつ当該ボールチェーンの伸延方向に当該球部を係止する球受部と、前記連結部を挿通させる連通溝とが形成されていることが好ましい。
このような構成によれば、ボールチェーンの球部を係止部材の球受部に係止するだけの簡単な操作によって施錠することができ、利便性を向上させることができる。さらに、複数の球部が連続的に設けられたボールチェーンを操作部材としたことで、このボールチェーンの任意の位置の球部を係止部材に係止させることが可能になり、遮蔽体が閉鎖位置にある場合に限らず、任意の開放位置において遮蔽体を施錠することができる。従って、例えば、遮蔽体を数センチ程度だけ開放した状態でも遮蔽体の施錠が可能となり、防犯性を維持しつつ通気性を確保することができる。
【００１１】
また、本発明の建具では、前記係止部材には、前記球受部が複数形成され、これら複数の球受部間が前記連通溝で連通されていることが好ましい。
このような構成によれば、係止部材に複数の球受部が形成され、ボールチェーンの複数の球部が係止できるので、ボールチェーンが簡単に係止部材から外れることがなく、施錠状態を安定させることができ、防犯性を向上させることができる。
【００１２】
また、本発明の建具では、前記枠体の縦枠には、前記面材よりも室内側にて見付け方向内方に延びる見付け面部と、この見付け面部に交差して見込み方向室内側に延びる見込み面部とが設けられており、前記係止部材は、前記縦枠の見付け面部および見込み面部の少なくとも一方に固定され、前記球受部が見付け方向内方に開口するかまたは見込み方向室内側に開口して形成されていることが好ましい。
このような構成によれば、建具の形態や、枠体の室内側に設けられる内装材（額縁等）との収まりに応じて、係止部材の取り付け位置や、球受部の開口方向を適宜に設定することで、操作部材と係止部材との係止方向を利用者が施錠操作しやすい向きにして操作性を向上させたり、操作部材と係止部材との係止が容易に外れにくい向きにして防犯性を向上させたり、さらには建具に応じた材質や形状の係止部材を選択して意匠性を向上させるなど、建具の製品バリエーションを多様化させることができる。
【発明を実施するための最良の形態】
【００１３】
［第１実施形態］
以下、本発明の第１実施形態を図面に基づいて説明する。
図１は、本発明の実施形態に係る建具である上げ下げ窓１を示す縦断面図である。図２は、上げ下げ窓１を示す横断面図である。図３は、上げ下げ窓１の一部を室内側から見た正面図である。
図１〜図３において、上げ下げ窓１は、戸建て住宅等の建物の外壁開口部に設けられるものであって、外壁開口部に固定される枠体としての窓枠２と、この窓枠２の内側に移動不能に固定された面材としての上部障子３（室外障子）と、窓枠２の内側に上下スライド開閉自在に支持された面材としての下部障子４（室内障子）とを備えて構成された、いわゆるシングルハングの上げ下げ窓である。窓枠２は、上枠５、下枠６、および左右の縦枠７を四周枠組みして形成され、窓枠２には、上部障子３の室外側に網戸８が支持されるとともに、この網戸８よりも室外側にシャッター１０が上下開閉自在かつ上方に巻き上げ収容可能に支持されている。
【００１４】
シャッター１０は、複数のスラット１１Ａおよびその下端部に連結された下端スラット１１Ｂから構成された遮蔽体としてのシャッター面材１１と、このシャッター面材１１を巻き取る支持部としての巻取りドラム１２とを備えて構成されている。この巻取りドラム１２は、上枠５の上方室外側に固定された収容部であるシャッターボックス１３の内部（収容空間１３Ａ）に設けられ、縦枠７に軸支される巻取り軸１４によって回動自在に支持されている。シャッター面材１１は、巻取りドラム１２に巻き取られて収容空間１３Ａに収容された開放位置と、上部障子３、下部障子４および網戸８の室外側を覆う閉鎖位置との間を上下開閉移動自在に、縦枠７のシャッターレール７Ａに支持されている。そして、閉鎖位置において、シャッター面材１１の下端スラット１１Ｂが下枠６に当接することで、上げ下げ窓１の開口全面を覆い、上げ下げ窓１の防犯性が確保できるようになっている。
【００１５】
次に、以上のようなシャッター１０の駆動機構について、図４も参照して詳しく説明する。図４は、シャッター１０の駆動機構を示す横断面図である。
シャッター１０の駆動機構は、巻取りドラム１２の巻取り軸１４に固定された従動伝達部材としての従動スプロケット１５と、開閉操作手段である手動操作ユニット２０と、手動操作ユニット２０に設けられた主動スプロケット２５と従動スプロケット１５とに巻回されたチェーン１６とを有して構成されている。ここで、従動スプロケット１５は、主動伝達部材としての主動スプロケット２５よりも大きな径で形成されており、主動スプロケット２５の回転を減速した回転数で従動スプロケット１５が駆動されることで、チェーン１６を介して手動操作ユニット２０からの開閉駆動力が巻取りドラム１２に伝達されるようになっている。
【００１６】
手動操作ユニット２０は、縦枠７に内側面に固定される固定面部２１と、この固定面部２１から見付け方向側方に延びる４本の連結ロッド２２と、これらの連結ロッド２２に固定されたケース体２３とを有している。そして、手動操作ユニット２０は、ケース体２３に軸支されて縦枠７側に延出する回動軸２４と、この回動軸２４の先端側に固定された主動スプロケット２５と、ケース体２３内において回動軸２４に固定された連結部としてのギア２６と、このギア２６に巻回されるとともにケース体２３から室内側に延びる操作部材としてのボールチェーン２７とを有して構成されている。このうち、回動軸２４、主動スプロケット２５、ギア２６によって、手動操作ユニット２０の駆動部が構成される。ボールチェーン２７は、無端紐状に形成され、ケース体２３の内面によってギア２６に噛み合うように位置規制されており、このボールチェーン２７を回転操作することで、ギア２６および回動軸２４を介して主動スプロケット２５が回転駆動されるようになっている。
【００１７】
以上のような手動操作ユニット２０において、ケース体２３や回動軸２４、主動スプロケット２５は、上枠５の上側つまりシャッター１０の収容空間１３Ａ側に設置されている。上枠５には、下向きに開口して前記上部障子３の上端部（上框）を支持する面材支持部としての凹部５Ｃと、凹部５Ｃよりも室内側にて上方に延びた室内側見付け面５Ｄとが形成されている。この室内側見付け面５Ｄは、収容空間１３Ａの底面を構成する上枠上面部５Ｅよりも上方に延びて形成され、この室内側見付け面５Ｄの上端には、室内側に延びて建物躯体等に固定される上枠アングル部５Ｆが形成されている。そして、室内側見付け面５Ｄにおける上枠上面部５Ｅよりも上方位置でかつ上枠アングル部５Ｆよりも下側位置には、開口部５Ｇが形成されている。この開口部５Ｇは、室内側見付け面５Ｄを貫通して形成され、手動操作ユニット２０のボールチェーン２７を挿通させるものである。
【００１８】
また、手動操作ユニット２０は、図１〜図４に示すように、縦枠７における室内側に形成された縦枠アングル部７Ｂに固定された係止部材３０を有しており、ボールチェーン２７は、係止部材３０に係止できるようになっている。これらのボールチェーン２７および係止部材３０によって、シャッター１０の施錠機構が構成される。
以下、このシャッター１０の施錠機構について、図５も参照して詳しく説明する。図５は、シャッター１０の施錠機構を示す斜視図である。
ボールチェーン２７は、複数の球部２７１と、これらの球部２７１同士を長手方向に所定間隔毎に連結する複数の連結部２７２とを有して構成され、全体として無端の輪状に形成されている。また、ボールチェーン２７は、手動操作ユニット２０のケース体２３から室内側に垂下されており、この垂下された部分において、２本の直線部分２７Ａ，２７Ｂを有している。なお、ボールチェーン２７を開方向に回転操作する際には、直線部分２７Ａが引き下げられ、同時に直線部分２７Ｂが引き上げられるようになっている。また、ボールチェーン２７を閉方向に回転操作する際は、直線部分２７Ｂが引き下げられ、同時に直線部分２７Ａが引き上げられるようになっている。
【００１９】
係止部材３０は、樹脂製で形成されており、係止部材３０の表面は、縦枠７の室内側に位置する樹脂製の縦枠アングル部７Ｂと同一または類似の色彩・模様となっている。また、係止部材３０は、上下面３１，３２と、室内側の見付け面３３と、室外側の見付け面３４と、縦枠アングル部７Ｂの見込み面部７Ｃに当接される見込み面３５と、この見込み面３５の反対側に形成された複数（本実施形態では６箇所）の球受部３６とを有して、一体的に形成されている。なお、縦枠アングル部７Ｂの見込み面部７Ｃは、下部障子４よりも室内側寄りに位置している。
各球受部３６は、見付け方向に中心軸を有する略円筒状の空間によって構成され、各球受部３６は、係止部材３０が取り付けられていない側の縦枠７に向かって開口している。このように縦枠７の見付け方向内方に開口する球受部３６の内径寸法は、ボールチェーン２７の球部２７１の球径寸法よりも若干大きく設定されている。また、球受部３６に球部２７１が収納された状態で、球受部３６の内面と球部２７１との隙間は、球部２７１が球受部３６内にスムーズに挿通できる程度に設定されている。このような球受部３６は、係止部材３０の上下方向に３段、見込み方向に２列の合計６箇所に形成され、具体的には、上部球受部３６１、中央球受部３６２、下部球受部３６３がそれぞれ２箇所ずつ形成されている。
また、係止部材３０には、複数の連通溝３７が形成されている。この連通溝３７は、係止部材３０の上面３１および上部球受部３６１を連通する第１連通溝３７１と、上部球受部３６１および中央球受部３６２を連通する第２連通溝３７２と、中央球受部３６２および下部球受部３６３を連通する第３連通溝３７３と、下部球受部３６３および下面３２を連通する第４連通溝３７４とから構成されている。これらの連通溝３７は、係止部材３０の上面３１から下面３２に亘って連通して形成されている。各連通溝３７の見込み方向の幅寸法は、少なくともボールチェーン２７の連結部２７２の径寸法よりも大きく、球部２７１の径寸法よりも小さくなるように設定されている。
このような係止部材３０は、縦枠７の縦枠アングル部７Ｂにおける見込み面部７Ｃにビス３８によってビス止めされている。
【００２０】
このような構成において、ボールチェーン２７と係止部材３０との係止状態について説明する。
図５にて二点鎖線で示すように、球受部３６に対して、ボールチェーン２７の伸延交差方向に球部２７１を挿通させることによって、球部２７１がボールチェーン２７の伸延方向への移動を規制された状態で係止される。この状態では、係止部材３０と略同じ高さに位置するボールチェーン２７の各直線部分２７Ａ，２７Ｂの３つの球部２７１が、球受部３６にそれぞれ係止される。また、ボールチェーン２７の各直線部分２７Ａ，２７Ｂの連結部２７２が、係止部材３０の各連通溝３７にそれぞれ挿通される。直線部分２７Ａは、室内側寄り（図中の手前側）に配置され、直線部分２７Ｂは、室外側寄り（図中の奥側）に配置される。
このような状態で、シャッター１０の複数のスラット１１Ａや下端スラット１１Ｂが開方向に移動操作を受けた場合、つまり、ボールチェーン２７の直線部分２７Ｂが上方に引かれた場合に、直線部分２７Ｂの球部２７１が球受部３６の内面と当接することによって、直線部分２７Ｂの上方への移動が係止部材３０によって規制されることで、シャッター１０の複数のスラット１１Ａや下端スラット１１Ｂの開方向への移動が規制されるようになっている。また、シャッター１０の複数のスラット１１Ａや下端スラット１１Ｂが閉方向に移動操作を受けた場合、つまり、ボールチェーン２７の直線部分２７Ａが上方に引かれた場合に、直線部分２７Ａの球部２７１が球受部３６の内面と当接することによって、直線部分２７Ａの上方への移動が係止部材３０によって規制されることで、シャッター１０の複数のスラット１１Ａや下端スラット１１Ｂの閉方向への移動が規制されるようになっている。このようにして、係止部材３０にボールチェーン２７を係止させることで、ギア２６、回動軸２４および主動スプロケット２５の回転が規制され、シャッター１０を施錠できるように構成されている。
【００２１】
次に、ボールチェーン２７と係止部材３０とを互いに係止させる手順について説明する。
先ず、ボールチェーン２７を開方向または閉方向に回転操作し、シャッター面材１１の下端スラット１１Ｂを上下方向に移動させ、所望の高さ位置で停止させる。次に、ボールチェーン２７の２本の直線部分２７Ａ，２７Ｂの一部を、それぞれ係止部材３０に挿入する。具体的には、一方の直線部分２７Ａを室内側（図中の手前側）の球受部３６に係止させ、他方の直線部分２７Ｂを室外側（図中の奥側）の球受部３６に係止させる。すなわち、係止部材３０と同じ高さ位置にあるボールチェーン２７の３個の球部２７１を、それぞれ対応する球受部３６に挿入させる。この際、球部２７１を見付け方向から係止部材３０の球受部３６に挿入する。球部２７１同士を連結する連結部２７２は、球部２７１が球受部３６に挿入される際に、連通溝３７に挿通される。このように挿入した球部２７１は、球受部３６の略円筒形の空間の内部に収納される。
以上のようにして、ボールチェーン２７と係止部材３０とを互いに係止させ、シャッター１０を施錠することができる。
【００２２】
このような本実施形態によれば、以下のような効果がある。
（１）すなわち、手動操作ユニット２０のボールチェーン２７が室内側に垂下して設けられ、このボールチェーン２７の操作によってシャッター１０を開閉可能に構成されているので、下部障子４を開かなくてもシャッター１０の開閉操作を実施することができ、利便性を向上させることができる。さらに、球部２７１を球受部３６に係止させ、ボールチェーン２７の開方向の動作を係止部材３０で規制することでシャッター１０を施錠し、球部２７１を球受部３６から外すだけで解錠することができ、施錠および解錠操作も容易にできる。
（２）また、ボールチェーン２７および係止部材３０が下部障子４よりも室内側寄りに設けられているので、ボールチェーン２７や係止部材３０が室外から破壊され難く、防犯性を確保することができる。
【００２３】
（３）さらに、手動操作ユニット２０のボールチェーン２７が室内側見付け面５Ｄに形成された開口部５Ｇに挿通されることで、この開口部５Ｇを介して手動操作ユニット２０を室内外に渡って、室内側から操作可能に設けることができる。また、上枠５における凹部５Ｃよりも上方に位置する室内側見付け面５Ｄに開口部５Ｇを設けたことで、この開口部５Ｇから室内側に垂下げたボールチェーン２７と上部障子３および下部障子４との干渉が防止できる。さらに、室内側見付け面５Ｄを上下方向ではなく見込み方向に貫通して開口部５Ｇが形成されることで、この開口部５Ｇを介して室内側への雨水等の浸入が防止しやすくなり、止水性を確保することができる。
（４）また、ボールチェーン２７には複数の球部２７１が連続的に設けられているので、このボールチェーン２７の任意の位置の球部２７１を球受部３６に係止させることができ、シャッター１０が閉鎖位置にある場合に限らず、任意の開放位置においてシャッター１０を施錠することができる。従って、例えば、シャッター１０を数センチ程度だけ開放した状態でもシャッター１０の施錠が可能となり、防犯性を維持しつつ室内外の通気性を確保することができる。
【００２４】
（５）また、係止部材３０に複数の球受部３６が形成され、ボールチェーン２７の複数の球部２７１をそれぞれ対応した各球受部３６に係止させることができるので、外部から下部障子を強引に開方向に移動させる力が加わっても、球部２７１が簡単に球受部３６から外れることがなく、施錠状態を安定させることができ、防犯性をさらに向上させることができる。
（６）また、ボールチェーン２７は係止部材３０に係止されるので、風などによるボールチェーン２７の揺れを防止でき、ボールチェーン２７が下部障子４の開閉操作の邪魔にならず、利便性をさらに向上させることができる。
【００２５】
［第２実施形態］
次に、本発明の第２実施形態に係るシャッター１０の施錠機構について図６に基づいて説明する。図６は、シャッター１０の施錠機構を示す斜視図である。本実施形態では、係止部材４０の構成が相違するもので、その他の構成は第１実施形態と略同様である。
係止部材４０は、第１実施形態の係止部材３０よりも見付け方向の寸法が大きく、室内側の見付け面４３が球受部４６側に向かって曲面で形成されている。また、球受部４６および連通溝４７は、本実施形態では、上下方向に１列だけ形成されている。係止部材４０の球受部４６には、ボールチェーン２７の直線部分２７Ａ，２７Ｂが挿通されている。各直線部分２７Ａ，２７Ｂが挿通される順番はどちらでもよい。このように、共通の球受部４６に２本の直線部分２７Ａ，２７Ｂが挿通され、それぞれの球部２７１が係止されている。
球受部４６のうちで中央球受部４６２の内径寸法は、上部球受部４６１と下部球受部４６３よりも、大きく設定されている。これによって、中央球受部４６２は、係止部材４０の固定用のビスが挿通可能に形成される。このような係止部材４０は、縦枠７の縦枠アングル部７Ｂにおける見込み面部７Ｃに、中央球受部４６２から挿入されたビスによってビス止めされている。
【００２６】
なお、本実施形態に係る係止部材４０としては、図７に示すような構成を採用してもよい。図７は、本実施形態の変形例に係る係止部材５０を示す斜視図である。図７に示すように、係止部材５０は、球受部５６および連通溝５７が見込み方向室内側に開口して形成されたものであり、ボールチェーン２７の球部２７１を室内側から球受部５６に挿入させて、ボールチェーン２７の開閉方向の動作を規制し、シャッター１０を施錠するようになっている。この係止部材５０は、縦枠アングル部７Ｂの見込み面部７Ｃ、および、下部障子４よりも室内側にて見込み面部７Ｃに交差して見付け方向内方に延びる見付け面部７Ｄに、それぞれ接着剤等で固定されている。
【００２７】
このような本実施形態によれば、前記（１）〜（６）の効果と略同様の効果に加えて以下の効果を奏することができる。
（７）すなわち、ボールチェーン２７の直線部分２７Ａ，２７Ｂにおける、それぞれ同じ高さ位置の球部２７１が、共通の球受部４６に挿通されているので、それぞれの直線部分２７Ａ，２７Ｂに対応する球受部を個別に形成する場合と比べて、係止部材４０の形状を簡単にすることができる。
【００２８】
［第３実施形態］
次に、本発明の第３実施形態に係るシャッター１０の施錠機構について図８に基づいて説明する。図８は、シャッター１０の施錠機構を示す斜視図である。本実施形態では、係止部材６０の構成が相違するもので、その他の構成は第１実施形態と略同様である。
係止部材６０は、金属で形成され、縦枠アングル部７Ｂにおける見込み面部７Ｃにビス３８によってビス止めされる基板部６１と、この基板部６１の上端から見付け方向に半円筒状に曲がった半円筒部６２とを有して、一体的に構成されている。半円筒部６２は、第１半円筒部６２１、第２半円筒部６２２、第３半円筒部６２３の３部分から構成され、これらが室内側から室外側に向かって所定間隔毎に配置されている。各半円筒部６２の内径寸法は、球部２７１の球径寸法と略同じ寸法に設定されている。
各半円筒部６２１〜６２３同士の隙間には、ボールチェーン２７の連結部２７２が挿通される連通溝６３が形成されている。具体的には、第１半円筒部６２１と第２半円筒部６２２との間には、直線部分２７Ａの連結部２７２が挿通される第１連通溝６３１が形成され、第２半円筒部６２２と第３半円筒部６２３との間には、直線部分２７Ｂの連結部２７２が挿通される第２連通溝６３２が形成されている。各連通溝６３の見込み方向の幅寸法は、少なくともボールチェーン２７の連結部２７２の線径よりも大きく、球部２７１の球径よりも小さくなるように設定されている。
このような構成において、ボールチェーン２７の各直線部分２７Ａ，２７Ｂは、それぞれ対応する連通溝６３１，６３２に挿通され、各直線部分２７Ａ，２７Ｂの球部２７１は、各半円筒部６２の内周面と、連通溝６３との縁辺部にそれぞれ当接している。このようにして、ボールチェーン２７が係止部材６０に係止されている。本実施形態では、この半円筒部６２の内周面および連通溝６３の縁辺部によって、本発明の球受部が構成されている。
【００２９】
なお、本実施形態に係る金属製の係止部材６０としては、図９に示すような構成を採用してもよい。図９は、本実施形態の変形例に係る係止部材７０を示す斜視図である。係止部材７０は、基板部７１の上端から見付け方向に延設された延設部７２を有し、この延設部７２が基板部７１と一体的に構成されている。延設部７２には、ボールチェーン２７の連結部２７２が挿通される連通溝７３が１箇所形成されている。この連通溝７３は、室内側に開口して形成されている。球部２７１は、延設部７２の下面と連通溝７３との縁辺部に当接している。このようにしてボールチェーン２７が係止部材７０に係止されている。本変形例では、延設部７２の下面および連通溝７３の縁辺部によって、本発明の球受部が構成されている。
【００３０】
このような本実施形態によれば、前記（１）〜（４），（６），（７）の効果と略同様の効果に加えて以下の効果を奏することができる。
（８）すなわち、係止部材６０が金属製なので、樹脂製の場合と比べて高強度にすることができ、容易に割れたり曲がったりしないので、防犯性をさらに向上させることができる。また、樹脂製の場合と比べて、各部の厚さ寸法を小さくでき、係止部材６０を目立たなくさせられる。さらに、半円筒部６２が半円筒状に形成されているので、球部２７１が半円筒部６２に係止され、見込み方向に移動しにくくなっており、ボールチェーン２７が係止部材６０から誤って外れることを抑止することができる。
【００３１】
なお、本発明は、前記実施形態に限定されるものではなく、本発明の目的を達成できる他の構成等を含み、以下に示すような変形等も本発明に含まれる。
例えば、前記各実施形態において、建具の一例としての上げ下げ窓１について説明したが、本発明の建具は、上げ下げ窓１に限らず、引違い窓や片引き窓などの障子（面材）が左右スライド開閉自在に支持された窓であってもよく、また嵌め殺し窓のように面材が窓枠（枠体）内部に固定された窓であってもよい。また、上げ下げ窓であっても、前記実施形態のようなシングルハングの上げ下げ窓に限らず、上下の障子がそれぞれ開閉自在に支持されたダブルハングの上げ下げ窓であってもよく、さらには３枚以上の面材を有したものであってもよい。
【００３２】
また、前記各実施形態において、遮蔽体としてのシャッター面材１１を有したシャッター１０（ロールシャッター）が設けられた建具について説明したが、遮蔽体としては、複数のスラットが上方に巻取り収容可能に構成されたシャッターに限らず、スラットが折り畳み収容されたり重ね合わせ収容されるタイプのシャッターやブラインドであってもよい。また、遮蔽体としては、上下方向に移動可能に構成されたシャッターに限らず、水平方向に移動可能なブラインド等であってもよい。
また、前記各実施形態において、面材支持部として上部障子３を支持する凹部５Ｃを採用し、この凹部５Ｃは、上部障子３を開閉不能に支持する固定機能を備えているが、本発明の面材支持部としては、これに限らず、面材を開閉自在に支持するガイド機能を備えたものであってもよい。
【００３３】
また、前記各実施形態において、遮蔽体であるシャッター面材１１としては、例えば、下端スラット１１Ｂが下枠６に最初に当接した状態において、複数のスラット１１Ａが更に下方向へ若干距離だけ移動可能な移動代部を有し、連鎖状に連結されたものでもよい。このようなシャッター面材１１であれば、各スラット１１Ａの移動距離に応じて移動代部に設けた開口の開口面積が漸次変化することによって、その開口を通じた採光量や通風量を調整することができ、所望の開口面積状態でボールチェーン２７（操作部材）を係止部材３０，４０，５０，６０，７０に係止することで、その採光状態や換気状態を維持することができる。
【００３４】
また、前記各実施形態において、操作部材としてのボールチェーン２７の開方向の動作および閉方向の動作を規制する係止部材３０を説明したが、これに限らず、係止部材としては、操作部材の開方向の動作のみを規制するものであってもよい。
また、前記各実施形態において、操作部材としてボールチェーン２７を採用したが、操作部材は、ボールチェーン２７に限らず、ロープやワイヤー、チェーンなどであってもよく、また回動軸２４に適宜なギア等を介して接続されて回転操作可能に構成された回動ロッドなどであってもよい。
【００３５】
また、前記各実施形態では、施錠機構をボールチェーン２７と係止部材３０，４０，５０，６０，７０とから構成したが、施錠機構としては、ロープやワイヤー、チェーン、回動ロッドなどの回転操作を規制可能に構成されたものでもよい。
また、前記各実施形態では、手動操作ユニット２０を上枠５における長手方向左右の一方（室内側から向かって左側）のみに設けたが、左右の両方に手動操作ユニット２０を設けてもよく、さらには上枠５の長手方向中間位置に手動操作ユニット２０を設けてもよい。
また、前記第実施形態では、手動操作ユニット２０の主動スプロケット２５と巻取りドラム１２の従動スプロケット１５とをチェーン１６で接続し、これによりボールチェーン２７の操作力を巻取りドラム１２に伝達する駆動機構を採用したが、駆動機構としては、適宜な構造のものが採用可能である。すなわち、主動プーリおよび従動プーリと無端ベルトとで構成された駆動機構や、複数のギアを組み合わせて構成された駆動機構など、その構造は任意に選択してもよい。
【００３６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３７】
【図１】本発明の第１実施形態に係る建具を示す縦断面図である。
【図２】前記建具を示す横断面図である。
【図３】前記建具の一部を室内側から見た正面図である。
【図４】前記建具に設けたシャッターの駆動機構を示す横断面図である。
【図５】前記シャッターの施錠機構を示す斜視図である。
【図６】本発明の第２実施形態に係るシャッターの施錠機構を示す斜視図である。
【図７】前記実施形態の変形例に係る施錠機構を示す斜視図である。
【図８】本発明の第３実施形態に係るシャッターの施錠機構を示す斜視図である。
【図９】前記実施形態の変形例に係る施錠機構を示す斜視図である。
【符号の説明】
【００３８】
１…建具である上げ下げ窓、２…枠体である窓枠、３…面材である上部障子、４…面材である下部障子、５…上枠、５Ｃ…面材支持部である凹部、５Ｄ…室内側見付け面、５Ｇ…開口部、７Ｃ…縦枠の見込み面部、７Ｄ…縦枠の見付け面部、１０…シャッター、１１…遮蔽体であるシャッター面材、２０…開閉操作手段である手動操作ユニット、２７…操作部材であるボールチェーン、２７１…球部、２７２…連結部、３０，４０，５０，６０，７０…係止部材、３６，４６，５６…球受部、３７，４７，５７，６３，７３…連通溝。
【図１】
2008215004.tif 000003
【図２】
2008215004.tif 000004
【図３】
2008215004.tif 000005
【図４】
2008215004.tif 000006
【図５】
2008215004.tif 000007
【図６】
2008215004.tif 000008
【図７】
2008215004.tif 000009
【図８】
2008215004.tif 000010
【図９】
2008215004.tif 000011